(57)【特許請求の範囲】
【請求項１】
記録再生ディスクあるいは記録再生ディスクを格納したカートリッジを保持するホルダと、前記カートリッジに備えるシャッタを開閉するシャッタ開閉手段と、前記シャッタ開閉手段の位置に応じて前記シャッタの開閉を検出する開閉検出手段と、カートリッジに収納されていない記録再生ディスクを押し込むことで一旦押し広がった後回転可能に保持すると共に前記カートリッジの側面を付勢する保持手段と、前記保持手段の付勢に抗して押し広がった姿勢を検出する姿勢検出手段と、前記ホルダを装置前面の開口部より出入りさせる搬送手段とを備え、
前記開閉検出手段の検出結果と前記姿勢検出手段の検出結果とにより、前記保持手段に前記記録再生ディスク、前記カートリッジの何れかを格納したか、または何れも格納していないかを検知し、前記搬送手段の駆動動作開始、停止または禁止することを特徴とするディスクローディング装置。
【請求項２】
記録再生ディスクあるいは記録再生ディスクを格納したカートリッジが未装着な時と、記録再生ディスクあるいは記録再生ディスクを格納したカートリッジの装着が完了した時で、前記搬送手段で前記ホルダの制止力を変えることを特徴とする請求項１記載のディスクローディング装置。
【請求項３】
搬送手段でホルダの制止力を変える機構に、機械的拘束機構を用いることを特徴とする請求項１および２記載のディスクローディング装置。
【請求項４】
搬送手段でホルダの制止力を変える機構に、前記搬送手段の駆動モータの両端ショートによる電磁的拘束機構を用いることを特徴とする請求項１および２記載のディスクローディング装置。
【請求項５】
記録再生ディスクあるいは記録再生ディスクを格納したカートリッジを保持する保持手段と、前記保持手段を搬送する搬送手段と、前記記録再生ディスクまたは前記カートリッジに格納された記録再生ディスクを回転するディスク回転手段と、前記保持手段が格納され天板を備えるホルダと、開口部を有し前記搬送手段及び前記ホルダを格納するベース部材及び天蓋で前記構成される筐体を備え、
前記筐体の前記開口部を開閉する開閉部材を備え、前記天板と前記天蓋との間における前記開閉部材に前記ディスク回転手段の回転による前記筐体内外の圧力差に起因する気流より強い気流を流す孔を設けることを特徴とするディスクローディング装置。
【請求項６】
記録再生ディスクあるいは記録再生ディスクを格納したカートリッジを保持する保持手段と、前記保持手段が係合するケース部材と、前記ケース部材を搬送する搬送手段と、前記記録再生ディスクまたは前記カートリッジに格納された記録再生ディスクを回転するディスク回転手段と、前記回転手段及び前記搬送手段を有し前記ケース部材を格納するベース部材を含む筐体を備え、
前記筐体に備える開口部を開閉する開閉部材を有し、前記ケース部材と前記ベース部材との間における前記開閉手段に前記筐体に流れる気流が流れる孔を設け、前記孔と前記ディスク回転手段の間に、前記ディスク回転手段の回転による前記筐体内外の圧力差に起因する前記気流が運ぶ塵埃を防ぐ防塵部材を設けることを特徴とするディスクローディング装置。
【請求項７】
防塵部材に弾性材料を用いることを特徴とする請求項６記載のディスクローディング装置。
【請求項８】
防塵部材に気体が通過しにくい材料を用いることを特徴とする請求項６および７記載のディスクローディング装置。
【請求項９】
防塵部材にフィルタを用いることを特徴とする請求項６および７記載のディスクローディング装置。
【発明の詳細な説明】
【０００１】
【発明の属する技術分野】
本発明は、光でディスクに情報を記録および再生する装置のディスクローディング装置およびカートリッジに関するものである。
【０００２】
【従来の技術】
現在、コンピュータなどの情報機器の記録媒体として、ＣＤ−ＲＯＭ等の再生専用型のディスクや、光磁気方式や相変化方式の書換え型のディスクが用いられている。
これらのディスクは、ディスクをトレイに直接搭載する場合と、ディスクの表面を保護する等の理由のためディスクをカートリッジに収納してカートリッジをトレイに搭載する場合とがある。
【０００３】
記録再生装置は、たとえばディスクをトレイに直接搭載する場合、ディスク交換位置から記録再生位置へトレイをディスクローディング装置によりローディングし、ディスクをターンテーブル上に載せ、ターンテーブルによりディスクを回転し、ディスクの表面に光を照射するピックアップを移動して記録再生を行う。
ディスクを内包するカートリッジをトレイに搭載する場合も記録再生方式は同じであるが、ディスクをターンテーブルに載せて回転させ、ピックアップを走査して光を照射するため、例えばトレイをローディングさせる途中で、カートリッジのディスク保護蓋を開くようにしている。
【０００４】
そして最近、ディスク専用のトレイを有する記録再生装置、およびカートリッジ専用のトレイを有する記録再生装置のみならず、ディスクおよびカートリッジを選択的に搭載可能なトレイを有する記録再生装置が提案されている。後者の場合、トレイ上にディスク載置部およびカートリッジ載置部を設けている。
【０００５】
【発明が解決しようとする課題】
上述した、ディスクおよびカートリッジを選択的に搭載可能なトレイを有する従来の記録再生装置（以下、両用ローディング装置と呼ぶ）では、トレイにカートリッジ装着の際にはトレイがローディング装置に対して強固に保持され、かつ、トレイを押し込む際には小さな力で操作でき、また、未通電時に強制的にメディアを排出する際にはトレイ排出力が小さいことが望ましい。しかしながら、これらトレイ操作時の負荷はローディング装置の駆動系の歯車比とローディングモータとで決まるため、メディアの種類および通電、未通電に応じて、トレイ操作時の負荷を適正化するのは困難であった。
【０００６】
また、カートリッジを扱う上記従来の記録再生装置では、パーソナルコンピュータに取り付ける筐体部（固定側）とカートリッジおよび内蔵されたディスクの記録再生部分（可動側）がダンパーで分かれており、パーソナルコンピュータ搭載の場合の装置外形の制約から筐体の開口部と可動側の間に衝撃時の振動用の隙間が空き、ローディング装置への埃の進入を許す結果となっている。
【０００７】
最後に、上記従来の記録再生装置では、防塵構造として埃が入らないよう装置の密閉度を上げるのが一般的であるが、ディスクをスピンドルモータで回転させることにより装置内部が負圧になり、モータの中心に向かって埃や煙を吸引する構造から、筐体の開口部の隙間から侵入する埃や煙により、ディスクの記録再生面やレンズの経時的な汚れを許す結果となっている。
【０００８】
【課題を解決するための手段】
上記課題を解決するために、本発明のディスクローディング装置では、記録再生ディスクあるいは記録再生ディスクを格納したカートリッジを保持するホルダと、前記カートリッジに備えるシャッタを開閉するシャッタ開閉手段と、前記シャッタ開閉手段の位置に応じて前記シャッタの開閉を検出する開閉検出手段と、カートリッジに収納されていない記録再生ディスクを押し込むことで一旦押し広がった後回転可能に保持すると共に前記カートリッジの側面を付勢する保持手段と、前記保持手段の付勢に抗して押し広がった姿勢を検出する姿勢検出手段と、前記ホルダを装置前面の開口部より出入りさせる搬送手段とを備え、前記開閉検出手段の検出結果と前記姿勢検出手段の検出結果とにより、前記保持手段に前記記録再生ディスク、前記カートリッジの何れかを格納したか、または何れも格納していないかを検知し、前記搬送手段の駆動動作開始、停止または禁止する構成を有する。
【０００９】
また、本発明のディスクローディング装置では、記録再生ディスクあるいは記録再生ディスクを格納したカートリッジを保持する保持手段と、前記保持手段を搬送する搬送手段と、前記記録再生ディスクまたは前記カートリッジに格納された記録再生ディスクを回転するディスク回転手段と、前記保持手段が格納され天板を備えるホルダと、開口部を有し前記搬送手段及び前記ホルダを格納するベース部材及び天蓋で前記構成される筐体を備え、前記筐体の前記開口部を開閉する開閉部材を備え、前記天板と前記天蓋との間における前記開閉部材に前記ディスク回転手段の回転による前記筐体内外の圧力差に起因する気流より強い気流を流す孔を設ける構成であるため、この孔から装置に流入する気流はディスクの回転による装置内外の圧力差によって生ずる気流より強い例えばパーソナルコンピュータ内蔵ファンの気流を用いて、天板と天蓋との間を流れ、装置内に進入した埃および煙をディスクローディング装置外へ排出する。
【００１０】
さらに、本発明のディスクローディング装置では、記録再生ディスクあるいは記録再生ディスクを格納したカートリッジを保持する保持手段と、前記保持手段が係合するケース部材と、前記ケース部材を搬送する搬送手段と、前記記録再生ディスクまたは前記カートリッジに格納された記録再生ディスクを回転するディスク回転手段と、前記回転手段及び前記搬送手段を有し前記ケース部材を格納するベース部材を含む筐体を備え、前記筐体に備える開口部を開閉する開閉部材を有し、前記ケース部材と前記ベース部材との間における前記開閉手段に前記筐体に流れる気流が流れる孔を設け、前記孔と前記ディスク回転手段の間に、前記ディスク回転手段の回転による前記筐体内外の圧力差に起因する前記気流が運ぶ塵埃を防ぐ防塵部材を設ける構成を有するため、ディスクをディスク回転手段で回転させることによりローディング装置内部が負圧になり、モータの中心に向かって埃や煙を吸引する構造から、この経路に前記防塵部材を配置することにより、ディスクの記録再生面やレンズの汚れを防ぐ。
【００１１】
【発明の実施の形態】
本発明の請求項１記載のディスクローディング装置では、カートリッジに収納されていない記録再生ディスクあるいはカートリッジに収納した記録再生ディスク（以下、前者を裸ディスクと称し、両者を総称してメディアと呼ぶ）を保持するホルダと、前記カートリッジに備えるシャッタを開閉するシャッタ開閉手段と、前記シャッタ開閉手段の位置に応じて前記シャッタの開閉を検出する開閉検出手段と、カートリッジに収納されていない記録再生ディスクを押し込むことで一旦押し広がった後回転可能に保持すると共に前記カートリッジの側面を付勢する保持手段と、前記保持手段の付勢に抗して押し広がった姿勢を検出する姿勢検出手段と、前記ホルダを装置前面の開口部より出入りさせる搬送手段とを備え、前記開閉検出手段の検出結果と前記姿勢検出手段の検出結果とにより、前記保持手段に前記記録再生ディスク、前記カートリッジの何れかを格納したか、または何れも格納していないかを検知し、前記搬送手段の駆動動作開始、停止または禁止する構成を有するため、メディアをローディングする前に裸ディスクかカートリッジ収納ディスクかまたはメディアが装着されていないかを判別し、その判別結果に基づきメディアのローディングを行うか否かの搬送仕様を変え、メディアをローディングする前にメディアの異常装着や光ヘッドのレンズ切換等を行え、装置の破壊を防げると共に立ち上げ時間の短縮ができる。
【００１２】
請求項２記載のディスクローディング装置では、請求項１記載の装置に、記録再生ディスクあるいは記録再生ディスクを格納したカートリッジが未装着な時と装着が完了した時で、搬送手段によるホルダの制止力を変えることにより、ホルダへの記録再生ディスクあるいは記録再生ディスクを格納したカートリッジ装着時の安定感を増すとともに、装着後のホルダ操作の軽快感を生み出す。
【００１３】
請求項３記載のディスクローディング装置では、請求項１および２記載の装置の搬送手段の制止機構に機械的拘束機構を用いる。
【００１４】
請求項４記載のディスクローディング装置では、請求項１および２記載の装置の搬送手段の制止機構に搬送手段の駆動モータの両端ショートによる電磁的拘束機構を用いる。
【００１５】
請求項５記載のディスクローディング装置では、記録再生ディスクあるいは記録再生ディスクを格納したカートリッジを保持する保持手段と、前記保持手段を搬送する搬送手段と、前記記録再生ディスクまたは前記カートリッジに格納された記録再生ディスクを回転するディスク回転手段と、前記保持手段が格納され天板を備えるホルダと、開口部を有し前記搬送手段及び前記ホルダを格納するベース部材及び天蓋で前記構成される筐体を備え、前記筐体の前記開口部を開閉する開閉部材を備え、前記天板と前記天蓋との間における前記開閉部材に前記ディスク回転手段の回転による前記筐体内外の圧力差に起因する気流より強い気流を流す孔を設ける構成であるため、この孔から装置に流入する気流はディスクの回転による装置内外の圧力差によって生ずる気流より強い例えばパーソナルコンピュータ内蔵ファンの気流を用いて、天板と天蓋との間を流れ、装置内に進入した埃および煙をディスクローディング装置外へ排出する。
【００１６】
請求項６記載のディスクローディング装置では、記録再生ディスクあるいは記録再生ディスクを格納したカートリッジを保持する保持手段と、前記保持手段が係合するケース部材と、前記ケース部材を搬送する搬送手段と、前記記録再生ディスクまたは前記カートリッジに格納された記録再生ディスクを回転するディスク回転手段と、前記回転手段及び前記搬送手段を有し前記ケース部材を格納するベース部材を含む筐体を備え、前記筐体に備える開口部を開閉する開閉部材を有し、前記ケース部材と前記ベース部材との間における前記開閉手段に前記筐体に流れる気流が流れる孔を設け、前記孔と前記ディスク回転手段の間に、前記ディスク回転手段の回転による前記筐体内外の圧力差に起因する前記気流が運ぶ塵埃を防ぐ防塵部材を設ける構成を有するため、ディスクをディスク回転手段で回転させることによりローディング装置内部が負圧になり、モータの中心に向かって埃や煙を吸引する構造から、この経路に前記防塵部材を配置することにより、ディスクの記録再生面やレンズの汚れを防ぐ。
【００１７】
請求項７記載のディスクローディング装置では、請求項６の防塵部材に弾性材料を用いることにより、搬送手段の動作を妨げることなく経時的なディスクの記録再生面やレンズの汚れを防ぐ。
請求項８記載のディスクローディング装置では、請求項６および７記載の防塵部材に気体透過率が低い材料を用いることにより、ディスクの記録再生面やレンズへの埃や煙の経路を遮断する。
請求項９記載のディスクローディング装置では、請求項６および７記載の防塵部材にフィルタを用いることにより、ディスクの記録再生面やレンズへの埃や煙の進入を遮断する。
【００１８】
（実施の形態１）
以下、図面を参照しながら本発明の実施の形態について説明を行う。
なお本発明のディスクローディング装置は水平および垂直設置での使用が可能であるが、説明の都合上、ディスクローディング装置を水平設置した状態で以後の実施の形態の説明を行う。
また、本発明では、直径１２ｃｍの音楽用ＣＤやＣＤ−ＲＯＭのような裸ディスク（以下、大型ディスクという）、カートリッジに収納された大型ディスク（以下カートリッジという）を対象とする。また、これら２種類の形態の記録メディアを総称して、単にメディアと呼ぶ。ローディング機構で考慮するのはメディアの形態であって、その記録再生方式や記録密度などは、上記の例に限るものではない。
【００１９】
まず、ディスクローディング装置の全体の構成を説明し、続いて各部分の構成を詳しく説明する。
（ディスクローディング装置の全体構成）
図１は、本発明の実施の形態のディスクローディング装置の構成を示す分解斜視図、図２は、その内部構成を示す平面図、図３はカートリッジと裸ディスクの斜視図である。
【００２０】
図１において、本発明の実施の形態のディスクローディング装置は、ベース部Ｕ１とホルダ部Ｕ２とクランプ部Ｕ３とで構成される。
図中の、方向を示す座標系は、装置の奥行き方向をＸ、幅方向をＹ、高さ方向をＺとしている。
ベース部Ｕ１には、ベース８に、光ヘッド７やターンテーブル一体化ディスクモータ２を取り付けたシャーシ３と、これを昇降する昇降機構が組み込まれている。ベース８内の側面のガイド部８ｆにホルダ１００を乗せ、上から天板２５を取り付ける。
【００２１】
天板２５は、クランパ２６を備えたクランプレバー２７が取り付けられ、クランプ部Ｕ３を構成する。天板２５には、防塵用のカバー３９が設けられている。
ホルダ部Ｕ２のホルダ１００には、ローディングモータ１１１と歯車列１１２が組み込まれており、歯車列１１２の最終段の歯車１１２ａが、ベース８に取り付けたスライドラック１３に設けたラック１３ａとかみ合って、ホルダ１００がＸ１−Ｘ２方向に駆動される。ローディングモータ１１１の駆動電流は、フレキ１１３を通じてベース側より供給される。
【００２２】
さらに、ホルダ１００には、裸ディスクを案内保持する左右一対のディスク保持機構と、カートリッジのシャッタを開閉するシャッタオープナ１０３、および、カートリッジのロック機構、ホルダのロック機構、カートリッジ付勢ばねが組み込まれている。
また、フレキ１１３には、スイッチ１１４およびスイッチ１１５が設けられ、それぞれ、シャッターオープナ１０３、連結板１０８によってＯＮ／ＯＦＦされる。
【００２３】
図２は、ベース部Ｕ１にホルダ部Ｕ２組み込んだ状態の平面図である。
ホルダ１００は、組み込んだローディングモータ１１１により、保持されたディスクが約半分露出するような、図２に示す距離ＳだけＸ１方向に引き出され、メディア交換の待機状態となる。
（使用するメディア）
図３において、（ａ）は、シャッタ３００ａが閉じた状態のカートリッジ３００の斜視図である。３００ｃは保持用の切欠きで、３００ｆは位置決め孔である。
【００２４】
カートリッジ３００をホルダ１００に挿入する途中で、シャッタ３００ａの先端の凹部３００ｂに、ホルダ１００のシャッタオープナ１０３の先端が係合し、そのまま奥まで挿入すると、シャッタ３００ａが開いて、同図（ｂ）の状態になり、中に収納されたディスク３００ｅが露出する。この時、カートリッジ３００の厚さよりも薄い連結部３００ｄも同時に露出する。また、シャッタ３００ａは、片開きまたは両開きの何れであっても良いものとする。
【００２５】
同図（ｃ）は、大型ディスクである。
以下、ディスクローディング装置の各々の構成を詳しく説明する。
（ホルダ部の構成）
まず、ホルダ１００の構成を説明する。
図４は、ホルダ１００の内部構成を示す分解斜視図、図５は、組み立てた状態の透視斜視図である。
【００２６】
図４において、ホルダケース１０１の上にホルダカバー１０２を取り付け、箱状のホルダ１００を構成し、Ｘ１側の開口がメディア挿入口となって、Ｘ２方向にメディアが挿入される。その内部空間の高さは、カートリッジ３００の厚さに適当なすき間を加えた高さであり、幅は、カートリッジの幅に、裸ディスクの保持機構が退避する余裕を加えた幅となっている。ホルダケース１０１の底面は、下から光ヘッドが挿入される開口を有し、一番奥の中央部は、上下から切欠かれて、厚さの薄い連結部１０１ａとなっている。ホルダカバー１０２は左右に２分割され、前記連結部１０１ａと同じ幅で、ホルダ中央部に空間を設けている。また、ホルダカバー１０２にはカートリッジの逆挿入防止リブ１０２ａが設けられている。
【００２７】
ホルダケース１０１とホルダカバー１０２の挿入口部の形状は、左右の両端がＸ１方向に突出し、中央に凹部を持つ。左右の突出部のみ、ホルダケース１０１の底面がホルダカバー１０２よりも内側へ広げて受け部１０１ｈを設け、カートリッジ３００を挿入する際、一旦この受け部１０１ｈにカートリッジ３００の先端を乗せることにより、挿入を容易にする。
【００２８】
ホルダ１００の奥の端には、ローディングモータ１１１と駆動歯車列１１２を取り付ける部分と、シャッタオープナ１０３を取り付ける部分と、連結板１０８、ホルダロック１０９を取り付ける部分、底面の下側に２つの突起１００ａ、１００ｂがあり、それ以外は左右対称形である。
駆動歯車列の最終段の歯車１１２ａは、ホルダケース１０１の底面の孔１０１ｃからホルダ下側に突出しており、ケース８に組み込まれた駆動機構のスライドラック１３と連動する。歯車１１２ａと、２つの突起１００ａ，１００ｂの動作については、後述する。
【００２９】
シャッタオープナ１０３は、ホルダケース１０１とホルダカバー１０２の同位置の孔１０２ｂとボスで形成される軸１００ｅ回りに回動可能に組み込まれ、孔１０２ｂと同心の円弧溝１００ｆに突起１０３ａが係合して、回動角度が規制されている。ばね１６０によって円弧溝１００ｆのメディア挿入口側の端に付勢されると、先端部１０３ｂが、挿入されたカートリッジシャッタ３００ａの凹部３００ｂに当接する位置になる。シャッタオープナ１０３の先端部１０３ｂは、高さがカートリッジ３００の厚さとほぼ同等の円筒形で、メディアが挿入される側が、上下端を残して切欠かれている。これにより、挿入された裸ディスクの端面が先端部１０３ｂに当接した後、上下に滑ってはずれるのを防いでいる。
【００３０】
シャッタオープナ１０３の反対側の突起１０３ｄは、ホルダケース１０１の側面の孔１０１ｄから横へ突出しており、シャッタオープナ１０３が奥へ回動すると、ホルダ内に収納される形状となっている。ホルダ１００が装置から引き出されたメディア交換状態となった時、この突起１０３ｄに対応する位置にベース８の側壁に逃げ孔８ｅを設けることにより、ホルダ１００が引き込まれると速やかにシャッタオープナ１０３がホルダ奥の端まで回動する構成となっている。
【００３１】
シャッタオープナ１０３の腕部１０３ｃは、上下より切欠かれ、厚さがホルダケース１０１の奥端の連結部１０１ａとほぼ同じになっている。
シャッタオープナ１０３の突起１０３ｅは、シャッタオープナ１０３の一定角度位置でフレキ１１３に設けたスイッチ１１４をＯＮ状態にする。
シャッタオープナ１０３に設けたオープナ板バネ１０３ｆは、シャッタオープナ１０３の回動動作の終端でホルダケース１０１の奥端の壁に当接し、シャッタオープナ１０３に付勢力を与える。
【００３２】
次に、ホルダロック機構について説明する。
ホルダロック機構は、入口レバー１０７、連結板１０８、ホルダロック１０９で構成される。
ホルダロック１０９は、両端にフック１０９ａと立ち上げ部１０９ｂをもち、軸１０９ｄ回りに回動可能に、連結板１０８の下面に取り付けられる。連結板１０８は、ホルダケース１０１の底面に設けた掘込み１０１ｆの中で、軸１００ｅ周りに回動可能に取り付けられる。ホルダロック１０９は、ばね１６０により立ち上げ部１０９ｂがホルダ内側へ向かう方向に付勢される。
【００３３】
連結板１０８の先端の長孔１０８ａは、入口レバー１０７の先端の突起１０７ｂと係合し連動する。入口レバー１０７は、軸１００ｉ回りに円弧溝１００ｇの範囲で回動可能に取り付け、ばね１０５によりディスクホルダ１０４とともにホルダ内側へ付勢される。カートリッジ３００が挿入されるとすぐに入口レバー１０７がホルダの外側方向へ押し広げられ、連結板１０８も外側へ回動して、ホルダロック１０９のフック１０９ａがホルダケース１０１の側面の孔１０１ｇからホルダの外へ突出する構成になっている。この状態で、ホルダロック１０９の立ち上げ部１０９ｂは、カートリッジ３００の進路内に入り込んでおり、カートリッジ３００が奥まで到達すると外側へ押し広げられ、フック１０９ａは逆に内側へ回動してホルダ内に収納される。すなわち、カートリッジ３００の挿入途中のみフック１０９ａがホルダの外へ突出する構成となっている。
【００３４】
また、連結板１０８の突起１０８ｂは、通常、フレキ１１３に設けたスイッチ１１５をＯＮ状態にしており、入口レバー１０７の回動により連結板１０８が回動すると、直ちにスイッチ１１５をＯＦＦにする。
次に、カートリッジロック機構について説明する。
ディスクホルダ１０４の後端部は、突起部１０４ｅ、１０４ｆと腕部１０４ｇからなる弾性構造となっており、カートリッジ３００が挿入されると、内側の突起１０４ｆがカートリッジ３００の側面により押し広げられて、外側の突起部１０４ｅが一旦ホルダの側面へ突出する。カートリッジ３００の切欠き３００ｃが突起１０４ｆの位置まで到達すると、突起１０４ｆが切欠き３００ｃに入り込み、腕部１０４ｇの弾性により突起部１０４ｅ、１０４ｆは元の位置にもどる。
【００３５】
最後に、裸ディスクを案内保持するディスク保持機構について説明する。
ディスク保持機構は、ディスクホルダ１０４、ホルダ板バネ１０５、入口レバー１０７より構成される。
ディスクホルダ１０４は、ホルダ内側に向かって斜面を持つスリット１０４ａで裸ディスクの高さ方向の位置を規制し、スリット１０４ａの両端の保持部１０４ｂで、裸ディスクの半径方向の位置を規制する部材である。
【００３６】
ディスクホルダ１０４は、先端で入口レバー１０７と回動自在に係合し、上下の２ヵ所に設けた突起１０４ｄが、各々ガイド溝１００ｈに挿入される。
入口レバー１０７は、軸１００ｉ回りに回動自在に取り付けられ、突起１０７ｂが円弧溝１００ｇに挿入され、ホルダ板バネ１０５によりディスクホルダ１０４とともにホルダの内側方向に付勢される。通常は、ディスクホルダ１０４の突起１０４ｄ、及び入口レバー１０７の突起１０７ｂがそれぞれ、ガイド溝１００ｈ、円弧溝１００ｇのホルダ内側の終端に当接した位置で止まっている。この時、左右一対のディスクホルダ１０４はＸ方向に平行に保持され、ホルダ板バネ１０５の付勢によりその間隔が、挿入される裸ディスクの直径よりも小さく配置される。
【００３７】
挿入された裸ディスクは、シャッターオープナ１０３の先端部１０３ｂに当接しシャッターオープナ１０３を奥へ回動させながら、入口レバー１０７およびディスクホルダ１０４の先端を一旦押し広げてからスリット１０４ａの間に入り込み、ディスクホルダ１０４はホルダ板バネ１０５で付勢された元の位置に戻る。
このとき、シャッターオープナ１０３は、前述のスイッチＡがまだＯＦＦの位置で裸ディスクに当接している。この位置から、ディスクホルダ１０４の後端を広げる形で裸ディスクをわずかに押し込むと、シャッターオープナ１０３の突起１０３ｅがスイッチＡをＯＮ状態にする。裸ディスクを離せば、ディスクホルダ１０４は、元の位置に戻る。
【００３８】
裸ディスクの直径に対して、４つの当接部１０４ｂを広く配置してディスク外周との間に一定の空隙をもたせ、スリット１０４ａの幅もディスクの厚さに体して、一定の空隙をもたせれば、ディスクホルダ１０４が元の位置のままでディスクの回転動作が可能である。
カートリッジ３００が挿入されると、カートリッジ３００の角部が入口レバー１０７をホルダ奥側へ押し倒す。この当接面にはくぼみを設けて、滑らかに押し倒す形状となっている。入口レバー１０７が回動すると、ディスクホルダ１０４も移動し、ディスクホルダ１０４の先端が大きく開く。さらにカートリッジ３００を挿入されるとカートリッジ３００によってディスクホルダ１０４も押し倒され、ディスクホルダ１０４と入口レバー１０７が一直線状にホルダの左右両端に収納され、カートリッジ３００の進路が確保される。
【００３９】
以上の構成により、ディスクホルダ１０４は裸ディスクを保持可能な位置に待機しており、カートリッジ３００が挿入されると、その角部で入口レバー１０７を押して、ディスクホルダ１０４をホルダの左右両端に収納する。
ホルダケース１０１には、カートリッジ付勢バネ１２０が組み込んであり、挿入されたカートリッジ３００の先端角部をホルダカバー１０２の方向（Ｚ１方向）に、押し付ける。
【００４０】
（クランプ部の構成）
続いて、クランプ部の構成を説明する。
図６（ａ）は、クランパ２６の構成を示す。磁性材料から成るクランプレバー２７の中心孔内のクランパ２６ｂに、磁性体２６ｄとともに磁石２６ｃが格納され、クランプカバー２６ａで固定されている。この状態では、クランパ２６がクランパレバー２７との間で磁気的に安定な状態として、磁石２６ｃを挟んで磁性体２６ｄとクランプレバー２７が離れる方向に磁気浮上する。
【００４１】
図６（ｂ）はディスクモータ２がクランパ２６の近傍にある場合を示し、クランパ２６がディスクモータ２の磁性体に吸引されクランプレバー２７との磁気浮上が解除されるとともに、ディスクがある場合はクランパ２６でディスクモータ２のターンテーブル上に磁気吸着する。
図６（ｃ）はクランパ近接部に磁性体を持つディスクモータ２がクランパ２６近傍にない場合を示し、天板２５の曲げ部２５ａとクランパ２６が当節し、かつ、クランパ２６がクランプレバー２７との間で磁気的に安定な状態としてディスクモータ２から離れる方向に磁気浮上する。
【００４２】
（ベース部の構成）
図７は本発明のディスクローディング装置のベース部を示す図で、（ａ）はベース部のみ示した平面透視図、（ｂ）は側面断面図である。
また、図３０は筐体の正面図を示し、パネル２１、およびホルダ１００の収納時に筐体１の前面の開口２１ａを塞ぐシャッタ２２が設けられている。パネル２１には、ホルダ１００の搬出および収納用のイジェクトボタン４４と、記録再生のための回路部品を実装した回路基板２０の冷却用の空気取り入れ孔２１ａが設けられている。シャッタ２２には、未通電時のカートリッジ３００または裸ディスク（大型ディスク３０１）を取り出すための強制イジェクト用の孔２２ａが設けられている。
【００４３】
図７（ａ）において、１はディスクローディング装置の筐体、８はベースを示し、筐体１に外部からの振動や衝撃を緩和するためのダンパ９を介して弾性支持されている。シャーシ３にはトーションリーフ１１が固定され、トーションリーフ１１はベース８にシャーシ３の先端部３ａが常時Ｚ２方向に付勢されるよう取り付けられている。
【００４４】
昇降カム１０は、ベース８の軸８ａで回動可能に軸支され、ホルダ１００内に設けられた減速装置である駆動歯車列１１２およびローディングモータ１１１から成る駆動手段によって昇降カム１０が矢印Ｒ１方向に回動されたときに、斜面１０ａによってシャーシ３のスリット３ｂと係合してシャーシ３の先端部３ａをトーションリーフ１１のばね付勢力に抗してＺ１方向に押し上げシャーシ３を略水平にする。このときシャーシ３は斜面１０ａの端部の水平面で支持される。昇降カム１０が矢印Ｒ２方向に回動されたときは、昇降カム１０の斜面１０ａに沿って、トーションリーフ１１のばね付勢力によってシャーシ３が水平位置からＺ２方向へ傾く。昇降カム１０とベース８の間にはヘッドユニット付勢バネ（図示せず）が設けられ、シャーシ３を介して天板２５に対してホルダ１００がバネ付勢される。  スライドラック１３は上面に駆動歯車１１２ａと噛み合うラック形状１３ａを持ち、ベース８の突起８ｂと係合してＸ方向に摺動自在に保持され、溝部１３ｃで昇降レバー１０のピン１０ｂと係合する。クラッチ１２の爪１２ｃとベース８の突起８ｃが係合してスライドラック１３が固定された時はホルダ１００が移動可能であり、クラッチ１２の爪１２ｃとベース８の突起８ｃの係合が外れた時にはスライドラック１３が摺動し昇降カム１０が回動可能となる。
【００４５】
昇降カム１０のリブ１０ａは、ホルダ１００が収納完了してシャーシ３が略水平になったローディング動作完了時に駆動検出スイッチ２３ｂと当接して、中央処理装置（ＭＰＵ）３４が駆動手段の停止を命じる。
ストッパ３６は、ベース８の軸８ｄで回動可能に軸支され、一端の軸３６ａは昇降カム１０のガイド溝１０ｅと係合してリンク機構を構成する。他端のリブ３６ｂはシャッタ２２の突部２２ｂと対向する位置にあり、ホルダ１００を装置内へ格納するローディング動作中は、シャッタ２２が閉じた状態では突部２２ｂがリブ３６ｂと離れるため昇降カム１０およびストッパ３６の回動を妨げず、シャッタ２２が開いた状態では、突部２２ｂとストッパ３６のリブ３６ｂは当節して昇降カム１０およびストッパ３６の回動を妨げるように構成されている。
【００４６】
強制イジェクトレバー１４は強制イジェクトばね１５でＸ１方向に付勢され、ベース８とスライドラック１３との間でＸ方向に摺動自在に保持され、先端にホルダ１００の下部の係合部１００ｃと係合する爪１４ａを持つ。停電等の未通電時に装置内のホルダ１００に格納されたメディアを取り出す際には、パネル２１の強制イジェクト用の孔（図３０に符号２２ａとして図示）よりピンをＸ２方向に強制イジェクトばね１５を圧縮しながら差し入れ、爪１４ａがホルダ１００の下部の突起１００ｃと係合すると駆動系の負荷に抗してホルダ１００が装置内より排出される。その後ホルダ１００を搬出位置まで手で引っ張れば、ホルダ１００に格納されたカートリッジ３００あるいは裸ディスクを取り出すことができる。
【００４７】
ディスク規制部材２９はディスク基材のＰＣより低硬度のゴムで構成されたローラ２９ａとコイルばね２９ｂから成り、ホルダ１００の搬出完了位置から収納完了位置の間で、ホルダ１００に格納された裸ディスクおよびカートリッジ３００内のディスク３００ｅと接触して、ベース８に傾斜付勢されたシャーシ３とこれらのディスクが略平行になるよう姿勢を規制してシャーシ３上のターンテーブル２との接触を防止する。ホルダ１００のディスクローディング装置内への収納が完了すると、ホルダ１００の下面１００ｄとローラ２９ａが当接してディスク規制部材２９はベース８内へ格納され、これらディスクのディスク規制部材２９による規制は解除される。
【００４８】
ベース８には他に、スライドラック１３の動きを切り替えるクラッチ１２、ホルダ１００の搬出完了を検出するスイッチ２３ａとホルダ１００格納完了を検出するスイッチ２３ｂを備えた駆動検出回路基板２３が設けてある。
またベース８には防塵対策部品として、図１で示すように、天板２５との気密性を上げるためのシール４０が開口部を除く３方向に設けられ、ベース８とストッパ３６の隙間からの埃や煙の進入防止に防塵シート４１と防塵カバー４２が設けてある。防塵シート４１には気体の透過率が低く弾性材料である人工皮革や集塵用フィルタを用い、シャーシ３に貼り付け、ベース８に貼り付けた防塵カバー４２でベース８との間に挟み込んでいる。ディスクローディング機構の分解に配慮しないのであれば、防塵カバー４２を廃し、直接防塵シート４１をシャーシ３とベース８に貼り付けても良い。
【００４９】
駆動機構の動作に関しては後に詳述する。
シャーシ３には、ターンテーブル２ａを持つ一体型ディスクモータ２と、ガイドシャフト６、送りモータ５、スイッチ回路基板サポート１７を介して弾性支持されるカートリッジ検出回路基板１８、およびカートリッジの位置決め用のピン１６が設けられている。ターンテーブル２ａのクランパ２６と対向する面には、磁性体（図示せず）が設けられており、クランパ２６内の磁石２６ｃとの間で吸着力を発生する。
【００５０】
ガイドシャフト６上には、ヘッド移送レバー４がシャーシ３との間で方向に移動可能で、かつ一端が光学ヘッド７に他端が強制イジェクトレバー１４と当接可能に設けられている。
光学ヘッド７は、ガイドシャフト６上に取り付けられ送りモータ５により方向に往復運動し、記録再生用のレーザ発光部およびディスク（３００ｅ、または３０１）の反射光を受光する受光部を有する。
【００５１】
２６は天板２５に取り付けられたクランパであり、クランプ２６の内部にはターンテーブル２ａに吸着してディスクを保持するための磁石２６ｃが設けられている。クランプ２６は、天板２５からホルダ１００側に突出したクランプレバー２７を介して、クランプ押圧ばね２８によりターンテーブル２ａから離れる方向に付勢されている。天板２５はベース８に係止爪等の取り付手段により取り付けられ、ホルダ１００が搬出完了位置から収納完了位置に移動したときにクランプレバー２７がホルダ１００の操作片１０１ａに押されて、クランプ２６がクランプ押圧ばね２８に抗して回動し各ディスクをターンテーブル２ａのセンターコーン上に押圧する。一方ホルダ１００が搬出位置側に移動を始めると、操作片１０１ａがクランプレバー２７から離れるのでクランパ２６がターンテーブル２ａから離れる。なお、ディスク側に磁性体の金属ハブを持ち、ターンテーブル２ａ側に磁石を持ち、この磁石により金属ハブを吸着することによってディスクを保持する方式の場合クランパ２６は不要となるので、それぞれの方式に応じて必要な機構をそれぞれ付属させればよい。
【００５２】
図８は本実施の形態１のディスクローディング装置のブロック構成図を示すものである。図８において、レーザ駆動回路３０が動作して光学ヘッド７よりレーザをディスク（３００ｅまたは３０１）に照射し、光ヘッド７の受光部よりディスクの信号を受光し、再生信号処理回路３１により処理する。３２はその変調復調回路、３３はメモリのＲＡＭ、３４は中央処理装置（ＭＰＵ）、３５はパーソナルコンピュータ（ＰＣ）である。
【００５３】
図９は、ホルダ１００およびベース８の各スイッチの結線を示す構成図である。ホルダ１００のスイッチ１１４と１１５は、ベース８のスイッチ２３ａ、２３ｂとともに、中央処理装置３４によって監視されている。
【００５４】
【表１】
0003624684.tif 000002
【００５５】
（表１）は、ホルダ１００がイジェクト状態においてメディアを格納する際に、２つのスイッチ１１４および１１５を用いてメディアを装置内へ移動することなく、ホルダ１００に格納されたメディアの種類や状態を判断する方法を示したものである。すなわち、表中のＸＣＴＬはカートリッジか否か（裸ディスクまたはメディアを格納していないか）を検出するスイッチ１１５、ＸＯＰはシャッターオープナ１０３が動作したか否かを検出するスイッチ１１４であり、本例ではカートリッジのシャッターは片側のみ開閉する場合である。これにより、ホルダ１００に各種メディアを格納した直後に、光ヘッドのレンズ切り替えを行ったり、立ち上げ手順をかえることができるので、ローディング時間の短縮が可能になる。また異常時の検出も可能になるので、ローディングモータ１１１の駆動を禁止することにより、装置の破壊を防ぐことができる。
【００５６】
（実施の形態１の動作の説明）
以上の様に構成されたディスクローディング装置の動作について説明する。
図１０は、メディア挿入時の様子を示す外観斜視図である。前述した、ホルダ１００の構成により、本ローディング機構は、垂直、水平のいずれの姿勢でも使用できる。図１０（ａ）、（ｂ）は、カートリッジの挿入、図１０（ｃ）、（ｄ）は、大型ディスクの挿入をそれぞれ示す。
【００５７】
装置前面に設けたイジェクトボタン４４（図１０では図示せず。図３０参照）を押すと、ホルダ１００が、図に示す位置まで引き出されて、メディア挿入の待機状態となる。この状態から、再びイジェクトボタン４４を押すか、ホルダ１００を押し込むと、ホルダ１００は、装置内に引き込まれる。
図３１はホルダ１００にカートリッジ３００を挿入する際の平面図を示す。ホルダ１００にメディアが未装着な時にはＭＰＵ３４によりローディングモータ１１１の両端をショートし電磁的に拘束させることにより、ホルダ１００をベース８に対して強固に保持することができる。
【００５８】
図３２はホルダ１００にカートリッジ３００を挿入完了した際の平面図を示す。ホルダ１００内のスイッチ１１４および１１５の二つにより、カートリッジ３００がホルダ１００に挿入完了すると、ＭＰＵ３４がローディングモータ１１１の両端をオープンにして電磁的な拘束を解き、ホルダ１００がベース８内に容易に搬送できるようにする。
【００５９】
図１１〜図１６は、ホルダ１００内にメディアが装着されていないときのローディング動作の平面図を示すもので、時系列的な動作状態を示す。
図１７〜図２２は、ホルダ１００内にメディアが装着されていないときのディスクローディング装置上部の平面詳細図を示したもので、それぞれ図１１〜図１６の記号に対応している。
【００６０】
図２３〜図２８は、ホルダ１００内にメディアが装着されていないときのディスクローディング装置下部の平面詳細図を示したもので、図１１〜図１６の記号にそれぞれ対応している。
図２９は、ホルダ１００内にメディアが装着されていないときのローディング動作の側面断面図を示すもので、同図の（ａ）〜（ｄ）は、時系列的な動作状態を示す。
【００６１】
図１１は、ホルダ１００が搬出完了した状態を示す。ホルダ１００の下面のリブ１００ａが、駆動検出スイッチ回路基板２３上のスイッチ２３ａと当接して、ホルダ１００の搬出位置で正確に停止している。この状態で、裸ディスク、およびカートリッジの何れかが選択的に装着される。図１１の状態では、図１７で示されるように、クラッチ１２の爪１２ｃがベース８のリブ８ｃと係合して、ボス１２ａがスライドラック１３の摺動を規制しベース８に固定されている。また、図２３で示されるように、シャッタオープナ１０３の突起１０３ｄはベース８の側面の孔８ｅと一致して回動自在に設けられている。ホルダ１００内にカートリッジ４０が装着された際には、ホルダ１００へのカートリッジ４０の挿入に応じてシャッタオープナ１０３が回動してシャッタ４１を開くことができる。
【００６２】
この状態では、図２９（ａ）で示すようにシャーシ３はベース８に対して傾斜付勢しており、クランパ２６はクランプ押圧ばね２８の付勢力によりクランプレバー２７を介して天板２５に押し当てられている。また、カートリッジ検出回路基板１８はスイッチ回路基板サポート１７の付勢力によりベース８の底面側へ押し当てられている。ディスク規制部材２９はコイルばね２９ｂの復帰力により、ベース８からホルダ１００の中央の開口へ持ち上がる。
【００６３】
また、昇降カム１０のガイド溝１０ｅと係合してリンク機構を成すストッパ３６のリブ３６ｂとシャッタ２２の突部２２ｂは離れた位置にあり、シャッタ２２の開状態から閉状態への動作は妨げられないように構成されている。
図１２は、ホルダ１００の収納開始状態を示す。図１８で示すように、パネル２１のイジェクトボタン（図３０参照）が押され、ホルダ１００内のローディングモータ１１１が回転し、ギア群１１２を経て駆動力が駆動歯車１１２ａに伝達されると、ベース８に固定されたスライドラック１３のラック部１３ａと係合して、ホルダ１００がＸ２方向に移動を開始する。この時、図２４に示すように、シャッタオープナ１０３の突起１０３ｄはベース８の側面の孔８ｅから離れ、ホルダ１００に大型ディスク３０１が装着されたとき、またはメディア未装着の場合には、シャッタオープナ１０３は大型ディスク３０１と干渉しない位置までＲ２方向に回動する。この状態では図２９（ｂ）で示すように、徐々にホルダ１００が装置内へ収納されていく。
【００６４】
図１３は、ホルダ１００がさらにディスクローディング装置内へ収納された状態を示す。
図１４は、ホルダ１００のディスクローディング装置内への収納が完了した状態を示す。図２０で示すように、ホルダ１００下面のリブ１００ｂがクラッチ１２の爪部１２ｄと当接しベース８のリブ８ｃとの係合を外す。これによりスライドラック１３のクラッチ１２による拘束は解除され、以後Ｘ１方向への摺動が可能となる。このとき、シャッタ２２は閉状態となるが、ストッパ３６のリブ３６ｂとシャッタ２２の突部２２ｂは依然離れた位置にある。
同時に、図２０で示すようにホルダ１００の異形孔１０１ｂとクラッチ１２のボス１２ｂとが係合する。この状態では、図２９（ｃ）で示すようにホルダ１００のリブ１０１ａとクランプレバー２７の端２７ａが当接して、クランプレバー２７はクランプ押圧ばね２８を軸に回動してクランパ２６はターンテーブル２ａと対向する位置まで下降する。またディスク規制部材２９のローラ２９ａはホルダ１００の下面１００ｄと当接して、ディスク規制部材２９はベース８内へ格納される。
【００６５】
図１５は、ホルダ１００のディスクローディング装置内へ収納完了後のスライドラック１３の動作を示す。図２１で示すように、駆動歯車１１２ａの駆動力によりスライドラック１３がＸ１方向に摺動し、スライドラック１３と係合していたクラッチ１２のボス１２ｂがＲ１方向に回動して、ホルダ１００の異形孔１０１ｂ内でホルダ１００の方向の動作を規制するため、ホルダ１００はベース８の所定位置に保持される。スライドラック１３のＸ１方向の移動に伴い、ボス１０ｂとスライドラック１３の溝１３ｃで係合している昇降カム１０がベース８の軸８ａを中心にＲ１方向に回動すると、シャーシ３は傾斜リブ１０ａとシャーシ３の溝３ｂで当接しトーションリーフ１１の付勢力に抗しながら徐々に昇降カム１０の回動に合わせて傾斜状態から略水平状態へ持ち上がる。
【００６６】
同時に、昇降カム１０の回動にあわせてストッパ３６も回動して、リブ３６ｂはシャッタ２２の突部２２ｂと離れた位置から対向する位置に近接する。このとき、シャッタ２２が故意に開いた状態にあれば、ストッパ３６のリブ３６ｂとシャッタ２２の突部２２ｂは当節し、ストッパ２２とリンク機構をなす昇降カム１０の動作は妨げられるため、ローディングは完了しない。中央処理装置３４によりローディングモータ１１１を停止または反転すれば、回転中の裸ディスク３０１に触れる危険を回避できる。
【００６７】
図１６は、スライドラック１３の移動完了状態を示す。図２２で示すように、駆動歯車１１２ａの駆動力によるスライドラック１３のＸ１方向への移動が完了して、昇降カム１０のＲ１方向の回動により傾斜リブ１０ａの水平面上にシャーシ３が乗り、シャーシ３は略水平状態となる。昇降カム１０のリブ１０ａは、シャーシ３が略水平になるローディング動作の完了時に駆動検出スイッチ２３ｂと当接して、中央処理装置（ＭＰＵ）３４がローディングモータ１１１を停止させる。この状態では、図２９（ｄ）で示すようにシャーシ３の回動が完了するとシャーシ３は略水平になり、シャーシ３上のターンテーブル２ａはクランパ２６と対向する位置まで上昇するとともに、カートリッジ検出回路基板１８はスイッチ回路基板サポート１７の復帰力によりベース８から上昇してホルダ１００内の所定位置まで上昇し、ローディング動作は完了する。
【００６８】
同時に、昇降カム１０の回動にあわせてストッパ３６も回動して、リブ３６ｂはシャッタ２２の突部２２ｂと所定寸法離れて対向する位置で停止する。シャッタ２２が固定側でストッパ３６がダンパ９を介した可動側にある場合、これら２つの当節距離として衝撃変動分を加味する必要がある。この状態では、リブ３６ｂと突部２２ｂが近接しているので、当節距離をシャッタ２２を故意に開こうとしても大きくは開口できず、開口隙間を指の入らない程度に設ければ、回転中の裸ディスク３０１に触れる危険を回避できる。
【００６９】
ホルダ１００の排出動作は、これら動作と全く逆の順序で行われる。ローディングモータ１１１が前記と逆方向に回転するとスライドラックがＸ２方向へ移動して、昇降カム１０をＲ２方向に回動させ、シャーシ３はＺ２方向に回動する。スライドラック１３のＸ２方向への移動が完了すると駆動歯車１１２ａ駆動力によりホルダ１００はＸ１方向へ移動を開始し、ホルダ１００の異形孔１０１ｂでホルダ１００を拘束していたクラッチ１２のボス１２ｂはＲ２方向へ回動を始める。クラッチ１２のＲ２方向への回動によりクラッチ１２の爪部１２ｃはベース８のボス８ｂと係合して、スライドラック１３はクラッチ１２のボス１２ａによりベース８に固定される。以後ホルダ１００は、ホルダ１００の下面側のリブ１００ａが駆動検出回路基板２３のスイッチ２３ａと当接するまでディスクローディング装置から搬出され、図１１で示されるホルダ搬出完了位置で停止する。
【００７０】
（防塵について）
次に、本実施の形態１のディスクローディング装置の防塵対策について、以下図面を用いて説明する。
図３３はパーソナルコンピュータ３５に本発明のディスクローディング装置を格納した際の側面図を示すものである。図３３において、ファンモータ３８とディスクモータ２の両方の回転によって、空気の流れいわゆる気流４３が生じる。気流４３により、パネル２１の空気取り入れ孔２１ｄおよびパネル２１とパーソナルコンピュータ３５の筐体との隙間およびパネル２１とシャッタ２２の合わせから、記録再生ディスク（３０１および３００ｅ）および光学ヘッド７に埃や煙を搬送して、経時的にディスクの記録再生面やレンズを汚す結果となる。
【００７１】
図３４は防塵対策を施す前のディスクローディング装置内を流れる気流の側面図の部分拡大図を示す。気流４３ａは、パネル２１の上部およびシャッタ２２の合わせより進入する気流で、ディスクモータ２の回転による圧力差により生ずる気流４３ｄに引かれて、装置内部まで煙や埃を搬送してしまう。気流４３ｂは、パネル２１の下側の空気取り入れ孔２１ｄから導かれた流れで、回路基板２０上の実装部品の冷却を行う。気流４３ｃは、パネル２１の上側の空気取り入れ孔２１ａからベース８とストッパ３６との隙間を介してディスクモータ２に至る気流で、ディスクモータ２の回転による圧力差により生ずる気流４３ｄに引かれて、装置内部まで煙や埃を搬送してしまう。
【００７２】
防塵性能を上げるためには、これら気流が記録再生ディスク（３０１および３００ｅ）の記録再生面および光学ヘッド７に至らないように遮断するとともに、ローディング装置内部の気密性を上げることが重要になる。
図３５は防塵対策を施した後のディスクローディング装置内を流れる気流の側面図の部分拡大図を示す。カバー３９（図３５には図示せず。図１参照）およびシール４０（同）により、ベース８と天板２５の間の気密性が向上する。
【００７３】
換気孔２５ａは天板２５のパネル２１に隣接する部分に設けられ、記録再生ディスク（３０１および３００ｅ）の回転による装置内外の圧力差によって生ずる気流より強いパーソナルコンピュータのファンモータ３８の気流を用いて、パネル２１から進入した埃および煙をディスクローディング装置外へ排出することにより、経時的なディスクの記録再生面やレンズの汚れを防ぐ。
【００７４】
パネル２１の空気取り入れ孔２１ａとディスクモータ２の間に防塵シート４１および防塵カバー４２を設けることにより、記録再生ディスク（３０１および３００ｅ）の回転により内部が負圧となり生じたディスクモータ２に向かって吸引する埃や煙を遮断し、経時的なディスクの記録再生面やレンズの汚れを防ぐ。
本発明により、図３５で示すように、パネル２１の上部およびシャッタ２２の合わせより進入する気流４３ａは、換気孔２５ａからディスクローディング装置外へ排出される。パネル２１の上側の空気取り入れ孔２１ａからベース８とストッパ３６との隙間を介してディスクモータ２に至る気流４３ｃは、防塵シート４１および防塵カバー４２により遮断される。この結果、ディスクモータ２の回転による圧力差により生ずる気流４３ｄは僅かとなり、ディスクローディング装置の埃や煙に対する寿命を延ばすことができる。
【００７５】
【発明の効果】
請求項１記載のディスクローディング装置では、カートリッジに収納されていない記録再生ディスクあるいはカートリッジに収納した記録再生ディスクを保持するホルダと、前記カートリッジに備えるシャッタを開閉するシャッタ開閉手段と、前記シャッタ開閉手段の位置に応じて前記シャッタの開閉を検出する開閉検出手段と、カートリッジに収納されていない記録再生ディスクを押し込むことで一旦押し広がった後回転可能に保持すると共に前記カートリッジの側面を付勢する保持手段と、前記保持手段の付勢に抗して押し広がった姿勢を検出する姿勢検出手段と、前記ホルダを装置前面の開口部より出入りさせる搬送手段とを備え、前記開閉検出手段の検出結果と前記姿勢検出手段の検出結果とにより、前記保持手段に前記記録再生ディスク、前記カートリッジの何れかを格納したか、または何れも格納していないかを検知し、前記搬送手段の駆動動作開始、停止または禁止する構成を有するため、メディアをローディングする前に裸ディスクかカートリッジ収納ディスクかまたはメディアが装着されていないかを判別し、その判別結果に基づきメディアのローディングを行うか否かの搬送仕様を変え、メディアをローディングする前にメディアの異常装着や光ヘッドのレンズ切換等を行え、装置の破壊を防げると共に立ち上げ時間の短縮ができる。
【００７６】
これにより、例えば、駆動機構を極めて軽く設計し、ホルダを押し込む際のホルダ操作力や未通電時に強制的にメディア排出する際のホルダ排出力を小さくしておけば、ホルダのメディア未装着の際のみホルダ制止力を増すことにより、ホルダをローディング装置に対して強固に保持することが可能となり、操作性の良いローディング機構が実現できる。
【００７７】
請求項２記載のディスクローディング装置では、請求項１記載の装置に、メディアが未装着な時とメディアの装着が完了した時で、搬送手段のホルダの制止力を変えることにより、ホルダへのメディア装着時の安定感を増すとともに、メディア装着後のホルダ操作の軽快感を生み出すことが可能となった。
請求項３記載のディスクローディング装置では、請求項１および２記載の装置の搬送手段の制止機構に機械的拘束機構を用いることにより、ホルダ制止時の確実性と信頼性を増すことができた。
【００７８】
請求項４記載のディスクローディング装置では、請求項１および２記載の装置の搬送手段の制止機構に駆動モータの両端ショートによる電磁的拘束機構を用いることにより、コスト上昇を招くことなく確実にホルダを制止することができた。
また、駆動モータの電磁誘導を利用して、ホルダを急に動かした際には大きな制止力を、ゆっくり動かした際には小さな制止力を得ることができ、ホルダ操作の品位を高めることが可能となった。
【００７９】
請求項５記載のディスクローディング装置では、記録再生ディスクあるいは記録再生ディスクを格納したカートリッジを保持する保持手段と、前記保持手段を搬送する搬送手段と、前記記録再生ディスクまたは前記カートリッジに格納された記録再生ディスクを回転するディスク回転手段と、前記保持手段が格納され天板を備えるホルダと、開口部を有し前記搬送手段及び前記ホルダを格納するベース部材及び天蓋で前記構成される筐体を備え、前記筐体の前記開口部を開閉する開閉部材を備え、前記天板と前記天蓋との間における前記開閉部材に前記ディスク回転手段の回転による前記筐体内外の圧力差に起因する気流より強い気流を流す孔を設ける構成であるため、この孔から装置に流入する気流はディスクの回転による装置内外の圧力差によって生ずる気流より強い例えばパーソナルコンピュータ内蔵ファンの気流を用いて、天板と天蓋との間を流れ、装置内に進入した埃および煙をディスクローディング装置外へ排出することにより、経時的なディスクの記録面やレンズの汚れを防ぐことができた。
【００８０】
請求項６記載のディスクローディング装置では、記録再生ディスクあるいは記録再生ディスクを格納したカートリッジを保持する保持手段と、前記保持手段が係合するケース部材と、前記ケース部材を搬送する搬送手段と、前記記録再生ディスクまたは前記カートリッジに格納された記録再生ディスクを回転するディスク回転手段と、前記回転手段及び前記搬送手段を有し前記ケース部材を格納するベース部材を含む筐体を備え、前記筐体に備える開口部を開閉する開閉部材を有し、前記ケース部材と前記ベース部材との間における前記開閉手段に前記筐体に流れる気流が流れる孔を設け、前記孔と前記ディスク回転手段の間に、前記ディスク回転手段の回転による前記筐体内外の圧力差に起因する前記気流が運ぶ塵埃を防ぐ防塵部材を設ける構成を有するため、ディスクをディスク回転手段で回転させることによりローディング装置内部が負圧になり、モータの中心に向かって埃や煙を吸引する構造から、この経路に前記防塵部材を配置することにより、経時的なディスクの記録再生面やレンズの汚れを防ぐことができた。
【００８１】
請求項７記載のディスクローディング装置では、請求項６の防塵部材に弾性材料を用いることにより、搬送手段の動作を妨げることなく経時的なディスクの記録再生面やレンズの汚れを防ぐことができた。
請求項８記載のディスクローディング装置では、請求項６および７記載の防塵部材に気体透過率が低い材料を用いることにより、ディスクの記録再生面やレンズへの埃や煙の経路を遮断することができた。
【００８２】
請求項９記載のディスクローディング装置では、請求項６および７記載の防塵部材にフィルタを用いることにより、ディスクの記録再生面やレンズへの埃や煙の進入を遮断することができた。
【図面の簡単な説明】
【図１】本発明の実施の形態１のディスクローディング装置の構成を示す分解斜視図
【図２】同、内部構成を示す平面図
【図３】（ａ）カートリッジの斜視図（閉蓋状態）
（ｂ）カートリッジの斜視図（開蓋状態）
（ｃ）裸ディスクの斜視図
【図４】本発明の実施の形態１のディスクローディング装置のホルダの内部構成を示す分解斜視図
【図５】同、ホルダの組み立てた状態の透視斜視図
【図６】（ａ）同、クランパ構成側面図
（ｂ）ディスクモータから離れた場合の側面図
（ｃ）ディスクモータに吸着した場合の側面図
【図７】（ａ）ベース部構成を示す平面透視図
（ｂ）同、側面断面図
【図８】ディスクローディング機構のブロック図
【図９】スイッチの結線図
【図１０】メディア挿入時の様子を示す外観斜視図
【図１１】ローディング動作時の平面透視図（その１）
【図１２】ローディング動作時の平面透視図（その２）
【図１３】ローディング動作時の平面透視図（その３）
【図１４】ローディング動作時の平面透視図（その４）
【図１５】ローディング動作時の平面透視図（その５）
【図１６】ローディング動作時の平面透視図（その６）
【図１７】ローディング動作時の上部平面透視詳細図（その１）
【図１８】ローディング動作時の上部平面透視詳細図（その２）
【図１９】ローディング動作時の上部平面透視詳細図（その３）
【図２０】ローディング動作時の上部平面透視詳細図（その４）
【図２１】ローディング動作時の上部平面透視詳細図（その５）
【図２２】ローディング動作時の上部平面透視詳細図（その６）
【図２３】ローディング動作時の下部平面透視詳細図（その１）
【図２４】ローディング動作時の下部平面透視詳細図（その２）
【図２５】ローディング動作時の下部平面透視詳細図（その３）
【図２６】ローディング動作時の下部平面透視詳細図（その４）
【図２７】ローディング動作時の下部平面透視詳細図（その５）
【図２８】ローディング動作時の下部平面透視詳細図（その６）
【図２９】ローディング動作時の側面断面図（メディア未装着の場合）
【図３０】筐体の正面図
【図３１】ホルダにカートリッジを挿入する際の平面図
【図３２】ホルダにカートリッジを挿入完了した際の平面図
【図３３】パーソナルコンピュータに本発明のディスクローディング装置を格納した際の側面図
【図３４】防塵対策前のディスクローディング装置内を流れる気流の側面図の部分拡大図
【図３５】防塵対策後のディスクローディング装置内を流れる気流の側面図の部分拡大図
【符号の説明】
１  ドライブ筐体
２  ターンテーブル一体化ディスクモータ
３  シャーシ
４  ヘッド移送レバー
５  送りモータ
６  ガイドシャフト
７  光学ヘッド
８  ベース
９  ダンパ
１０  昇降カム
１１  トーションリーフ
１２  クラッチ
１３  駆動側スライドレバー
１４  強制イジェクトレバー
１５  強制イジェクトばね
１６  位置決めピン
１７  スイッチ回路基板サポート
１８  カートリッジ検出回路基板
１９  従動側スライドスイッチ
２０  回路基板
２１  パネル
２２  シャッタ
２３  駆動検出回路基板
２４  イジェクトピン
２５  天板
２６  クランプ
２７  クランプレバー
２８  クランプ押圧ばね
２９  ディスク規制部材
３０  レーザ駆動回路
３１  再生信号処理回路
３２  変調復調回路
３３  ＲＡＭ
３４  中央処理装置（ＭＰＵ）
３５  パーソナルコンピュータ（ＰＣ）
３６  ストッパ
３７  モータ駆動回路
３８  ＰＣ用ファンモータ
３９  カバー
４０  シール
４１  防塵シート
４２  防塵カバー
４３  気流
４４  イジェクトボタン
１００  ホルダ
１０１  ホルダケース
１０２  ホルダカバー
１０３  シャッタオープナ
１０４  ディスクホルダ
１０５  ホルダ板バネ
１０７  入り口レバー
１０８  連結板
１０９  ホルダロック
１１１  ローディングモータ
１１２  駆動歯車列
１１３  フレキ
１１４  スイッチ
１１５  スイッチ
３００  カートリッジ
３０１  大型ディスク
【図１】
0003624684.tif 000003
【図２】
0003624684.tif 000004
【図３】
0003624684.tif 000005
【図４】
0003624684.tif 000006
【図５】
0003624684.tif 000007
【図６】
0003624684.tif 000008
【図７】
0003624684.tif 000009
【図８】
0003624684.tif 000010
【図９】
0003624684.tif 000011
【図１０】
0003624684.tif 000012
【図１１】
0003624684.tif 000013
【図１２】
0003624684.tif 000014
【図１３】
0003624684.tif 000015
【図１４】
0003624684.tif 000016
【図１５】
0003624684.tif 000017
【図１６】
0003624684.tif 000018
【図１７】
0003624684.tif 000019
【図１８】
0003624684.tif 000020
【図１９】
0003624684.tif 000021
【図２０】
0003624684.tif 000022
【図２１】
0003624684.tif 000023
【図２２】
0003624684.tif 000024
【図２３】
0003624684.tif 000025
【図２４】
0003624684.tif 000026
【図２５】
0003624684.tif 000027
【図２６】
0003624684.tif 000028
【図２７】
0003624684.tif 000029
【図２８】
0003624684.tif 000030
【図２９】
0003624684.tif 000031
【図３０】
0003624684.tif 000032
【図３１】
0003624684.tif 000033
【図３２】
0003624684.tif 000034
【図３３】
0003624684.tif 000035
【図３４】
0003624684.tif 000036
【図３５】
0003624684.tif 000037